(57)【要約】【課題】  それぞれのセンサ機器における送信手段の共有化を図って初期費用や維持費用の低減化を図る。【解決手段】  フィールド２に設置した局舎１にＦＤＭＬ装置４を設けると共に、該ＦＤＭＬ装置４を介してセンサ機器３の測定信号の測定データを利用装置11に送信するようにする。センサ機器３自体には送信手段を設ける必要はなく、このために汎用のセンサ機器３を利用することができ、設置に伴う初期費用や維持費用の低減を図ることができる。【選択図】図１
2005222421.tif 000002
【特許請求の範囲】
【請求項１】
フィールドに設置された局舎内に収容され測定データを出力するセンサ機器と、通信手段を介して前記測定データを収集する遠隔点の利用装置とよりなるフィールドデータ収集装置において、前記局舎にＦＤＭＬ（Filed  Data  Markup  Language）装置を設けると共に、該ＦＤＭＬ装置を介して前記測定データを前記利用装置に送信することを特徴とするフィールドデータ収集装置のセンサー機器収容局舎。
【請求項２】
前記センサ機器と前記ＦＤＭＬ装置との間に接続手段を設けたことを特徴とする請求項１記載のフィールドデータ収集装置のセンサー機器収容局舎。
【発明の詳細な説明】
【技術分野】
【０００１】
本発明は、環境大気測定監視、下線監視或いはダム水位監視などに用いられるセンサー機器収容局舎に関する。
【背景技術】
【０００２】
従来、フィールドに設置されたセンサ機器の測定信号を入力し所定の加工処理を実行しフィールドデータとして保持するフィールドインフォメーションサーバ（ＦＩＳ）と、通信手段を介して前記フィールドデータを定期的に収集する遠隔点の利用装置とよりなるフィールドデータ収集装置が公知である（特許文献１）。
【０００３】
また、局舎については例えばパネルを箱型に連結して内部に複数の電気機器を収容する密閉可能な収容室を形成すると共に、前記収容室に空調装置を設けた収容舎等が公知である（特許文献２）。
【特許文献１】特開２００３−２１７０７０号公報
【特許文献２】特開２００１−２６３７７４号公報
【発明の開示】
【発明が解決しようとする課題】
【０００４】
従来技術においては、センサ機器には送信手段が一体に組み込まれており、フィールドインフォメーションサーバ（ＦＩＳ）を介して遠隔点の利用装置に送信を行なっている。
【０００５】
しかしながら、従来のそれぞれのセンサ機器においては送信手段が一体に組み込まれているので、１つの局舎に複数のセンサ機器を収容した場合には複数の送信手段が配置されていることとなり、送信手段の共有を行なっていないこととなっている。そして、いずれかのセンサ機器が故障して入れ替えるような場合には、センサ機器自体の他に該センサ機器自体と一体に組み込まれている送信手段をも入れ替えなければならないという問題がある。
【０００６】
解決しようとする問題点は、それぞれのセンサ機器における送信手段の共有化を図って初期費用や維持費用の低減化を図る点である。
【課題を解決するための手段】
【０００７】
請求項１の発明は、フィールドに設置された局舎内に収容され測定データを出力するセンサ機器と、通信手段を介して前記測定データを収集する遠隔点の利用装置とよりなるフィールドデータ収集装置において、前記局舎にＦＤＭＬ（Filed  Data  Markup  Language）装置を設けると共に、該ＦＤＭＬ装置を介して前記測定データを前記利用装置に送信することを特徴とするフィールドデータ収集装置のセンサー機器収容局舎である。
【０００８】
請求項２の発明は、前記センサ機器と前記ＦＤＭＬ装置との間に接続手段を設けたことを特徴とする請求項１記載のフィールドデータ収集装置のセンサー機器収容局舎である。
【発明の効果】
【０００９】
請求項１の発明によれば、局舎にＦＤＭＬ装置を設けると共に、該ＦＤＭＬ装置を介して前記測定データを利用装置に送信するようにしたので、センサ機器自体には送信手段を設ける必要はなくなる。
【００１０】
請求項２の発明によれば、センサ機器とＦＤＭＬ装置との着脱を容易に行なうことができる。
【発明を実施するための最良の形態】
【００１１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１２】
図１は実施例１を示しており、ほぼ箱型形状の監視用局舎１が観測地域の野外等のフィールド２に設置される共に、その内部に例えばＳＯ２、ＣＯ、ＮＯＸ、Ｏ３、風速、水位等のセンサ機器３を設けている。監視用局舎１は無人或いは有人である。また、局舎１内にＦＤＭＬ（Filed  Data  Markup  Language）装置４を一体的に設けると共に、センサ機器３をＦＤＭＬ装置４にケーブルなどの着脱自在な接続手段５により接続している。ＦＤＭＬ(Field  Data  Markup  Language）は、日本電信電話株式会社  ＮＴＴサイバーソリューション研究所の商品であって、機器等から出力される情報を記述するために、拡張可能なマークアップ言語であるＸＭＬ(eXtensible  Markup  Language)をベースに開発した記述方式の一つであり、メーカ毎に異なる機械情報を一元的に管理できる新たな管理形式、並びにＦＤＭＬ情報を機器等がある現地とオペレーションセンタ間で高速送受信できる技術として注目されている。前記ＦＤＭＬ装置４は、センサ機器３から出力される測定データをＦＤＭＬのフォーマットに変換して収集するものである。すなわち、前記ＦＤＭＬ装置４は、ＦＤＭＬを利用することで、メーカや種類毎に異なるセンサ機器３から出力される各種データ形式の測定データを共通化して、あらゆる機器，設備を共通化して相互に接続を可能とすることにより、各種フィールドデータを一元的に管理するものである。さらに、ＦＤＭＬ装置４に入出力装置６を接続している。尚、監視用局舎１は例えばパネルを箱型に連結して内部に複数のセンサ機器３を収容する密閉可能な収容室を形成したものである。
【００１３】
入出力装置６からは通信手段７を介してデータセンター８に設けたデータサーバー９に接続され、さらにデータサーバー９に通信手段10を介して遠隔点の監視センター等の利用装置11に接続されている。通信手段７とデータサーバー９とは、データセンター８に設けた収集ソフト12を介して接続される。データサーバー９と通信手段10とはデータセンター８に設けた書式ソフト13を介して接続される。前記利用装置11ではパソコンなどのモニター14により情報をあらわすようにしている。通信手段７，10としては、公衆回線やインターネット網等の有線方式、携帯電話、ワイヤレスＬＡＮ等の無線方式などにより行われる。尚、15は利用装置11を設置した遠隔点としての監視センターを示している。
【００１４】
次に前記構成についてその作用を説明する。監視用局舎１に設けられた各種のセンサ機器３の測定データは、接続手段５を介してＦＤＭＬ装置４に出力される。そして、ＦＤＭＬ装置４においては、ＦＤＭＬのフォーマットに変換され、その後に変換された測定データは入出力装置６を介して通信手段７によりデータサーバー９へ送信される。さらに、データサーバー９へ送信された測定データは通信手段10を介して利用装置11に送信され、該利用装置11を利用して前記測定データを収集することができる。
【００１５】
以上のように、前記実施例では前記局舎１にＦＤＭＬ装置４を設けると共に、該ＦＤＭＬ装置４を介して前記測定データを利用装置11に送信するようにしたので、センサ機器３自体には送信手段を設ける必要はなく、このために汎用のセンサ機器を利用することができ、設置に伴う初期費用の低減を図ることができる。またセンサ機器３が故障して交換する必要が生じたときでも、汎用のセンサ機器を用いてこれをＦＤＭＬ装置４に接続して出力すればよいので、維持費用等の低減も図ることができる。しかも、従来送信手段が組み込まれなかった新たな種類のセンサ機器３も利用できるので、測定種類などの拡大も図ることができる。また、工場などで局舎１にＦＤＭＬ装置４を一体的に設け、ＦＤＭＬ装置４を予め組み込んだ局舎をフィールド２に設置することで、ＦＤＭＬ装置４の取付け作業をフィールド２で行なう必要はなく、フィールド２での設置工事などを容易に行なうことができる。さらに、ＦＤＭＬ装置４を用いることにより、有線方式或いは無線方式いずれの通信手段７，10をも利用することができ、安い通信手段や速い通信手段など任意の通信手段を自由に選択することができる。
【００１６】
さらに、前記センサ機器３とＦＤＭＬ装置４との間に接続手段５を設けたことにより、両者の着脱を容易に行なうことができ、センサ機器３こ交換なども容易に行なうことができる。
【００１７】
しかも、フィールド機器からリアルタイムで出力されてくる様々なタイプのデータを時間で管理して記述するFDMLにおいては、フィールドデータを記述するためのデータフォーマットは、データを時間カプセル化して記述し、データチャンネルのプロパティをFDML自身で定義し、物理的なチャンネルと論理的なチャンネルを独立に定義するFDMLのＦＤＭＬ装置４を用いることにより、XMLのメリットであるテキストベースなので処理が簡単で、ツールが汎用的に使用可能で、かつ豊富であり、さらに他のXMLベースのフォーマット例えばSMIL（Synchronized  Multimedia  Integration  Language）、ＦＰＭＬ（Financial  Products  Markup  Language）、CML (Chemical  Markup  Language)、BML（Broadcasting  Markup  Language）、MathＭＬ（Mathematical  Markup  Language）等との混在や変換が最初から考慮されており、現場にある機器であるフィールド機器としてのセンサ機器３が収集した一定周期又は不定周期で生成されるデータ情報を遠隔地からセンサ機器３にアクセスしてフィールドデータを取得したり、制御したりすることが可能となったり、また他のセンサ機器と情報を交換しながら連携して作業を遂行することもできるようになる。
【実施例２】
【００１８】
図２は実施例２を示しており、前記実施例１と同一部分には同一符号を付し、その詳細な説明を省略する。フィールド２に設置される監視用局舎１の内部にはセンサ機器３と共にＦＤＭＬ装置４が設けられ、両者は接続手段５により接続している。ＦＤＭＬ装置４の入出力装置５からは通信手段21を介して遠隔点に設けたサーバー22に送信し、さらにサーバー22に監視センター等の利用装置11を接続している。通信手段21としては公衆回線やインターネット網等の有線方式、携帯電話、ワイヤレスＬＡＮ等の無線方式などにより行われる。
【００１９】
次に前記構成についてその作用を説明する。監視用局舎１に設けられた各種のセンサ機器３の測定データは、接続手段５を介してＦＤＭＬ装置４に出力される。そして、ＦＤＭＬ装置４においては、ＦＤＭＬのフォーマットに変換され、その後に変換された測定データは入出力装置６を介して通信手段21により利用装置11に送信され、該利用装置11を利用して測定データを収集することができる。
【００２０】
以上のように、前記実施例では局舎１にＦＤＭＬ装置４を設けると共に、該ＦＤＭＬ装置４を介して前記測定信号のデータを利用装置11に送信するようにしたので、センサ機器３自体に送信手段を設ける必要はなくなる。また、工場などで局舎１にＦＤＭＬ装置４を一体的に設けることで、フィールド２での設置工事などを容易に行なうことができる。さらに、前記センサ機器３とＦＤＭＬ装置４との間に接続手段５を設けて両者の着脱を容易に行なうことができる。
【産業上の利用可能性】
【００２１】
以上のように本発明にかかるフィールドデータ収集装置のセンサー機器収容局舎においては、センサ機器における生の測定データの他に加工処理したデータをＦＤＭＬ装置を介して送信するような用途にも適用できる。
【図面の簡単な説明】
【００２２】
【図１】本発明の実施例１を示す概略図である。
【図２】本発明の実施例２を示す概略図である。
【符号の説明】
【００２３】
１  局舎
２  フィールド
３  センサ機器
４  ＦＤＭＬ装置
５  接続手段
11  利用装置
【図１】
2005222421.tif 000003
【図２】
2005222421.tif 000004